(57)【特許請求の範囲】
【請求項１】
照明負荷と、所定範囲内に人が居ることを検知する人感センサと、前記照明負荷により照明される直下の面の照度を反射光により検知する照度センサと、前記人感センサにより人が検知されているとき前記照度センサにより検知される照度を設定照度に保つように前記照明負荷の光出力を制御する制御部と、をそれぞれ備えた照明器具が複数配置された照明システムであって、
前記照明器具の各々は、前記照明器具間のデータ伝送を行う通信制御部と、前記人感センサにより人が検知されている点灯すべき照明器具であるときに不点灯を検出する不点灯検出手段と、をさらに備え、
前記不点灯検出手段により不点灯が検出された点灯すべき照明器具の制御部は、自己の器具アドレス、照度センサにより検知される照度、及び照度の目標値を含むデータを、前記通信制御部を介して他の照明器具にデータ伝送し、
前記他の照明器具の内、前記点灯すべき照明器具からのデータに含まれている前記器具アドレスに基づいて近傍位置にあると判断した照明器具の制御部は、データ伝送されてくる前記点灯すべき照明器具からの照度が前記照度の目標値になるように、照明負荷の光出力を制御することを特徴とする照明システム。
【発明の詳細な説明】
【技術分野】
【０００１】
本発明は、複数配置された照明器具の光出力が制御される照明システムに関する。
【背景技術】
【０００２】
従来のこの種の照明システムとして、複数の各照明器具に照度センサを設け、一部の照明器具に人感センサを設け、それら複数の照明器具が伝送信号を授受して連動する照明システムが知られている（例えば、特許文献１参照）。また、照明器具間のデータ伝送を行う照明システムにおいて、いずれかの照明器具（第１の照明器具）で消灯が指示されると、点灯が維持される隣接の照明器具（第２の照明器具）が、第１の照明器具の消灯に伴う照度低下を短時間で回復するものが知られている（例えば、特許文献２参照）。
【０００３】
上述した従来の照明システムは、周囲の照明器具が消灯されるなどの変化があった場合に点灯している直下の照明器具の作業面照度を確保するものであり、ランプが切れて不点灯になった場合に、その不点灯の照明器具の直下の作業面照度を確保するものではない。従って、不点灯になった照明器具の下に人がいて作業をしていた場合、暗い中で作業を続けなければならなかった。
【特許文献１】特開平１０−１０６７５９号公報
【特許文献２】特開平１１−２３３２６９号公報
【発明の開示】
【発明が解決しようとする課題】
【０００４】
本発明は、このような問題を解決するためになされたもので、点灯すべき照明器具が、ランプ切れなどによって不点灯になっても、その不点灯の照明器具の直下の作業面照度を確保することができる照明システムを提供することを目的とする。
【課題を解決するための手段】
【０００５】
上記目的を達成するために請求項１に記載の発明は、照明負荷と、所定範囲内に人が居ることを検知する人感センサと、前記照明負荷により照明される直下の面の照度を反射光により検知する照度センサと、前記人感センサにより人が検知されているとき前記照度センサにより検知される照度を設定照度に保つように前記照明負荷の光出力を制御する制御部と、をそれぞれ備えた照明器具が複数配置された照明システムであって、
前記照明器具の各々は、前記照明器具間のデータ伝送を行う通信制御部と、前記人感センサにより人が検知されている点灯すべき照明器具であるときに不点灯を検出する不点灯検出手段と、をさらに備え、
前記不点灯検出手段により不点灯が検出された点灯すべき照明器具の制御部は、自己の器具アドレス、照度センサにより検知される照度、及び照度の目標値を含むデータを、前記通信制御部を介して他の照明器具にデータ伝送し、
前記他の照明器具の内、前記点灯すべき照明器具からのデータに含まれている前記器具アドレスに基づいて近傍位置にあると判断した照明器具の制御部は、データ伝送されてくる前記点灯すべき照明器具からの照度が前記照度の目標値になるように、照明負荷の光出力を制御するものである。
【発明の効果】
【０００６】
請求項１に記載の発明によれば、点灯すべき照明器具が不点灯になっても、当該不点灯の照明器具の照度センサにより検知される照度が目標値になるように近傍に配置された他の照明器具の出力を増加させるので、不点灯の照明器具の直下の作業面照度を確保することができる。
【発明を実施するための最良の形態】
【０００７】
以下、本発明の一実施形態に係る照明システムの構成について図１を参照して説明する。本実施形態の照明システム１は、照明器具１０が複数配置されている。照明器具１０は、ランプ等の光源を有する照明負荷１１を備えるとともに、所定範囲内に人が居ることを赤外線等で検知する人感センサと、照明負荷１１により照明される面、例えば作業面１７の照度を反射光により検知する照度センサ１３とを備える。照明器具１０は、通常、天井面に取り付けられる。照度センサ１３は、照明器具１０の直下の照度を比較的広い範囲で検出する。ただし、照度センサ１３により照度を検出する範囲は、照明器具１０による照明範囲内に設定される。照度を比較的広い範囲で検出するのは、検出される照度を平均化することによって、照度の検出範囲内での物体の移動などに伴う照度変化の影響を軽減するためである。照明負荷１１及び人感センサ１２及び照度センサ１３は、ＣＰＵなどからなる制御部１４に接続され、制御部１４は、人感センサ１２により人１８が検知されているとき、照度センサ１３により検出される照度を設置照度に保つように照明負荷１１の光出力をフィードバック制御する。
【０００８】
照明システム１は、照明器具１０間のデータ伝送を行う通信制御部１５を備える。照明器具１０の制御部１４は、通信制御部１５を介して信号線１６に接続され、他の照明器具にデータを発信したり、他の照明器具のデータを受信したりする。このデータ伝送により各照明器具１０のデータが互いにやり取りされ、照明システム１の制御に用いられる。信号線１６は、データ伝送専用のケーブルであってもよいし、照明器具１０に電力供給する電力線を電力線通信によってデータ伝送に兼用したものであってもよい。また、データ伝送を無線で行ってもよい。通信制御部１５は、各照明器具１０ごとに備えてもよいし、複数の照明器具１０を１つの通信制御部１５に接続してもよい。
【０００９】
照明システム１における照明器具１０の配置例を図２を参照して説明する。複数の照明器具１０が、例えば、４行４列に２次元配置されている。１行目には照明器具１０ａ乃至照明器具１０ｄが、２行目には照明器具１０ｅ乃至照明器具１０ｈが、同様に、３行目及び４行目には照明器具１０ｉ乃至照明器具１０ｐが配置されている。各照明器具１０ａ乃至照明器具１０ｐは、識別のために、各々固有の器具アドレスを有しており、それぞれの照明器具の配置状態を管理テーブルにて管理している。管理テーブルは、例えば、各照明器具１０の制御部１４に記憶されている。管理テーブルを通信制御部１５に記憶し、制御部１４から参照されるようにしてもよい。なお、各照明器具を構成する部分も照明器具と同じ添字で図示する。例えば、照明器具１０ａは、人感センサ１２ａ及び照度センサ１３ａを備える（添字ａ）。
【００１０】
上記のように構成された照明システム１の動作を説明する。例えば、照明器具１０ｊの人感センサ１２ｊにより人１８が検知されているとき、同器具の制御部１４ｊは、照明負荷１１ｊを点灯するよう制御する。照明器具１０ｊが点灯すべき照明器具であるとの判断は、人感センサ１２ｊによる人１８の検知に基づいて制御部１４ｊが行う。
【００１１】
照明負荷１１ｊのランプが寿命等により不点灯になった場合、照度センサ１３ｊによって検知される照度が低下する。制御部１４ｊは、検知された照度が目標値になるように照明負荷１１ｊをフィードバック制御するが、照度センサ１３ｊに非常に低い照度が検知されることから、制御不能の状態であり、照明負荷１１ｊの光出力がないことが判断でき、照明器具１０ｊの不点灯を検出する。このように、点灯すべき照明器具１０ｊの不点灯を検出する不点灯検出手段は、人感センサ１２ｊ及び照度センサ１３ｊによる検知に基づいて制御部１４ｊが判断することによって実現される。また、照明負荷１１ｊの光出力を直接検知するセンサ（図示せず）や、照明負荷１１ｊの負荷電流を検知するセンサによって不点灯検出手段を構成してもよい。例えば、制御部１４ｊは、検知された照度が目標値になるように照明負荷１１ｊをフィードバック制御するが、ランプが切れると、照明負荷１１ｊの負荷電流がほとんど０になることから、照明器具１０ｊの不点灯を検出する。
【００１２】
不点灯が検出された照明器具１０ｊは、照度センサ１３ｊによって検知される照度を含むデータを通信制御部１５ｊを介して他の照明器具にデータ伝送する。伝送されるデータは、照明器具１０ｊの器具アドレス（器具識別情報）と、照度センサ１３ｊの現在の読値（検知された照度）と、照度の目標値とを含み、点灯すべき照明器具１０ｊが不点灯になったことが各照明器具に多重伝送信号にて発信される。各照明器具の制御部１４は、照明システム１の器具アドレスと照明器具の配置とを関連付ける管理テーブルを参照して、照明器具１０ｊの近傍に配置された照明器具であるかを判断する。照明器具１０ｊの近傍に配置された照明器具とは、例えば、照明器具１０ｊに隣接する照明器具１０ｅ、１０ｆ、１０ｇ、１０ｉ、１０ｋ、１０ｍ、１０ｎ及び１０ｏである。
【００１３】
点灯すべき照明器具１０ｊが不点灯の場合の照明システム１の制御について図３を参照して説明する。例えば、照明器具１０ｅは、不点灯の照明器具１０ｊの「器具アドレス＋現在の照度センサ１３ｊの読値＋照度の目標値」データを受信し（ステップＳ1)、管理テーブルを参照し、受信した器具アドレスにより、不点灯の照明器具１０ｊに隣接すると判断すると、制御部１４ｅにより、照明負荷１１ｅの光出力を上げていく制御をする。照明負荷１１ｅの光出力が上がると、不点灯の照明器具１０ｊの直下の作業面照度が上昇する。不点灯の照明器具１０ｊは、定期的に器具アドレスと現在の照度センサ１３ｊの読値と照度の目標値とを含むデータを発信する。隣接する照明器具１０ｅは、受信した現在の照度センサ１３ｊの読値と照明器具１０ｊの照度の目標値とを比較して（ステップＳ２）、照度センサ１３ｊの読値が照度の目標値に達するまで、照明負荷１１ｅの光出力を上げる（ステップＳ３）。照明器具１０ｊに隣接する照明器具１０ｅ以外の照明器具１０ｆ、１０ｇ、１０ｉ、１０ｋ、１０ｍ、１０ｎ及び１０ｏも同様の制御が行われる。この制御により、不点灯の照明器具１０ｊの直下の作業面照度が目標値まで上昇する。
【００１４】
上記のように、照明システム１において、通常は、人感センサ１２により人１８が検知されているとき、照明器具１０の照度センサ１３により検出される照度を設置照度に保つように照明負荷１１の光出力がフィードバック制御されるが、照明器具１０が不点灯の場合は、不点灯の照明器具１０の照度センサ１３により検出される照度が目標値になるように隣接する照明器具の照明負荷の光出力がフィードバック制御される。照明器具１０は、点灯すべきであるが不点灯になったとき、すなわち、人感センサ１２によって人１８が検知されるとともに、不点灯検出手段により不点灯が検出されたとき、不点灯のデータ（器具アドレス＋現在の照度センサの読値＋照度の目標値）を発信する。照明負荷１１のランプ交換などによって不点灯が解消すると、不点灯のデータ発信は停止する。
【００１５】
本実施形態の照明システム１は、点灯すべき照明器具１０が不点灯になっても、当該不点灯の照明器具１０の照度センサ１３により検知される照度が目標値になるように近傍に配置された他の照明器具の出力を増加させるので、不点灯の照明器具１０の直下の作業面照度を確保することができる。
【００１６】
なお、本発明は、上記の実施形態の構成に限られず、発明の要旨を変更しない範囲で種々の変形が可能である。例えば、照明器具１０が比較的密に配置されている場合など、近傍に配置された照明器具の範囲を隣接の照明器具よりも広げてもよい。
【図面の簡単な説明】
【００１７】
【図１】本発明の一実施形態に係る照明システムの構成図。
【図２】同システムにおける照明器具の配置図。
【図３】同システムの制御を説明するフローチャート。
【符号の説明】
【００１８】
１  照明システム
１０  照明器具
１１  照明負荷
１２  人感センサ
１３  照度センサ
１４  制御部
１５  通信制御部
【図１】
0005134999.tif 000002
【図２】
0005134999.tif 000003
【図３】
0005134999.tif 000004